(57)【要約】本発明は、弁筐体（１）と、該弁筐体中にあって弁座（２）に対してその位置を変える１基のピストン（３）とを有する気体又は液体用の圧力及び流量調節弁に関する。前記ピストン（３）は、前記弁座（２）もしくは座部（11）に近接して設けられると共に開口部もしくは細長い穴が穿孔された籠部（４）と、前記籠部（４）の下に位置する調節用外形部（６）とを含んでおり、弁の開口が小さくて圧力降下が大きいときに前記弁座（２）に対して流量を制御する場合には、気体又は液体を籠部（４）を通じて流し、弁の開口がより大きくなって流量が増すと共に圧力降下が小さいときには、前記籠部（４）を通過させるほかに、前記弁座（２）と前記調節用外形部（６）との間を通して流れを制御する。
2005524812.tif 000002
【特許請求の範囲】
【請求項１】
弁筐体（１）と、該弁筐体中にあって弁座（２）に対してその位置を変える１基のピストン（３）とを有する気体又は液体用の圧力及び流量調節弁において、前記ピストン（３）が、前記弁座（２）もしくは座部（11）に近接して設けられると共に開口部もしくは細長い穴が穿孔された籠部（４）と、前記籠部（４）の下に位置する調節用外形部（６）とを含んでおり、弁の開口が小さくて圧力降下が大きいときに前記弁座（２）に対して流量を制御する場合には、気体又は液体を籠部（４）を通じて流し、弁の開口がより大きくなって流量が増すと共に圧力降下が小さいときには、前記籠部（４）を通過させるほかに、前記弁座（２）と前記調節用外形部（６）との間を通して流れを制御することを特徴とする圧力及び流量調節弁。
【請求項２】
前記開口部又は細長い穴が穿孔された籠部（４）が、横方向、及びピストン外壁（５）中の弁座（２）に向かう方向に境界壁を有しており、前記ピストン外壁の厚さと形状とによって調節用外形部（６）が作られていることを特徴とする、請求項１に記載の弁。
【請求項３】
前記調節用外形部（３）はキャップの形状を有して前記籠部（４）を形成すると共に、その自由端（７）から放射状に広がる外形を有することを特徴とする、請求項２に記載の弁。
【請求項４】
前記籠部（４）の開口部又は細長い穴がピストンの外壁（５）へと突き抜ける穿孔（９）の形状を有し、該穿孔が前記ピストン（３）の円筒形の部分（10）の全体に亘って設けられて弁筐体（１）とその弁座（２）と協働し、前記円筒形の部分（10）はピストン（３）の座部（11）と調節用外形部（６）との間にあることを特徴とする、前記請求項のいずれか一項に記載の弁。
【発明の詳細な説明】
【技術分野】
【０００１】
本発明は、気体又は液体用の圧力及び流量調節弁に関する。該弁は弁座に対してその位置を調節することのできるピストンを備えた弁筐体を有し、圧力降下が小さくて流量が大きい状態と共に、圧力降下が大きくて流量が小さい状態も制御することができる。
【背景技術】
【０００２】
圧力降下の大きい流れを調節する弁は、通常、開口部などが設けられた籠部を有するピストンを備えているものであり、ピストンは弁座に対してその位置を調節する。圧力降下が小さく、流量の多い流れを調節する弁は、通常、それ自体が調節用の外形を有するピストンを備えているものであり、弁座に対するピストンの位置を調節することによってその外形による調節が行われる。
【発明の開示】
【発明が解決しようとする課題】
【０００３】
本発明の目的は、これら２つの型のピストンを同一の弁中で結び付けた、前記機能を有する弁を提供することである。弁の開口が小さくて大きな圧力降下がある間は、ピストンが備える、穿孔が設けられた籠部を通して液体又は気体が供給され、流量が増加して圧力降下が小さくなったときには、同じ弁ピストンの調節用外形によって流量が制御される。弁それ自体は従来の方法で製造されており、弁座に対して動くピストンを収容する弁筐体を有している。
【課題を解決するための手段】
【０００４】
本発明の特徴は、添付の請求項に記載されている。
【発明の効果】
【０００５】
本発明によって、優れた方法でその目的を満たすと同時に、その製造を容易且つ安価に行うことのできる弁が提供される。また、圧力降下が大きくて流量が小さい場合も、圧力降下が小さくて流量が大きい場合も、単一の同じ弁で、気体又は液体の圧力と流量とを調節することができる。単一の弁によるこのような調節は、従来は可能ではなかった。本発明の構成によって、二種のピストンを単一のピストンに結び付けることができる。換言すれば、従来公知の方法では、異なる型の２つの弁を使用する必要があったが、本発明によると、２つの目的、即ち、圧力降下が大きくて流量が小さい場合における気体又は液体の圧力と流量との調節、及び圧力降下が小さくて流量が大きい場合における気体又は液体の圧力と流量との調節、に対して単一の弁を使用することができる。
【発明を実施するための最良の形態】
【０００６】
以下において、添付の図面を参照しながら好ましい態様例を用いて、本発明をより詳細に記載する。
【０００７】
図１には、気体又は液体の圧力及び流量を調節する本発明の弁が示されており、該弁は、弁筐体１と、弁座２に対して該弁筐体中でその位置を変えるピストン３を有している。ピストン３は、前記弁座２又は座部11に近接して配された、開口部又は細長い穴が設けられた籠部４、及び前記籠部４の下に位置する調節用外形部６を有している。弁の開口が小さくて圧力降下が大きい状態のときに弁座２に対して流量を制御する場合に、気体又は液体が籠部４を通して供給され、又は流れる。弁の開口がより大きくなって流量が増し、圧力降下が小さい状態のときには、籠部４を通過させるほかに、弁座２と調節用外形部６との間を通して、気体又は液体、即ち流体を制御する。開口部又は細長い穴が設けられた籠部４は、ピストン外壁５の内側にあって、横方向、及び弁が閉じているときに弁座２に向かう方向に境界壁を有している。また、ピストン外壁の厚さと形状とによって「調節外形ピストン」又は調節用外形部６が作られている。
【０００８】
調節用外形部６の自由端７はキャップ８の形状を有しており、調節用外形部は該自由端７から放射状に広がる外形を有している。籠部４の開口部、即ち穿孔９は、調節用外形部６の放射状に広がる外形を有する部分の直上のピストン又は籠部の外壁５を突き抜けている。その外壁に籠部へ通じる穿孔が設けられている位置において、ピストン３は円筒形の部分10を有している。円筒形の部分は、弁筐体１の弁座２と協働するピストン３の座部11で終端している。
【０００９】
本発明の弁は、以下のように動作する。図には、その閉じた位置にあるピストン３が示されており、ピストン３の座部11は弁座２に接している。ピストン３がやや上方に動くとすぐに、流体が流入し、該流体は、最初は、穿孔９近傍に接し、大きな圧力降下を有する少量の流体が該穿孔を通じて、又は穿孔の設けられた籠もしくは籠部４を通じて流れる。ピストン３が上方に動くにつれ、流量が大きくなって圧力降下が小さくなると、流量はピストン３の調節用外形に沿って弁を介して、より正確には、籠部４を通しての外に、弁座２と調節用外形部６との間を通って制御されるようになる。
【００１０】
ピストンが弁のシール端部又は弁座２に位置するときから弁の開口位置に移動するまでは、即ち、ある場合から定められた別の位置までは、穿孔が設けられた円筒状の籠部４のみが動作する。弁がより開いた位置にあるときは、流体の大部分はピストンの調節用外形部を通って流れるが、穿孔が設けられた円筒状の籠部４も調節用外形部と共に機能する。
【図面の簡単な説明】
【００１１】
【図１】図１は、本発明のピストンを有する弁の断面略図であり、ピストンは、弁筐体中に形成された弁座に対して閉じた位置にある。
【図１】
2005524812.tif 000003
【国際調査報告】
2005524812.tif 000004
2005524812.tif 000005